(57)【特許請求の範囲】
【請求項１】
電源側に接続される第１端子と、
負荷側に接続される第２端子と、
一側は前記第１端子に接続され、他側は前記第２端子に接続されて通電するバイメタルとを含み、
前記バイメタルは、前記第１端子及び前記第２端子の少なくとも一方に耐アーク膜を介して面接触し、
前記耐アーク膜は、耐アーク性と導電性を有する金属で形成され、
前記耐アーク膜は炭化銀（ＡｇＣ）で形成される、回路遮断器用トリップ装置。
【請求項２】
前記耐アーク膜は、前記バイメタルの表面に形成されためっき膜である、請求項１に記載の回路遮断器用トリップ装置。
【請求項３】
前記耐アーク膜は、前記バイメタルや前記第１端子や前記第２端子とは別途に備えられる、請求項１または２に記載の回路遮断器用トリップ装置。
【請求項４】
電源側に接続される第１端子と、
負荷側に接続される第２端子と、
一側は前記第１端子に接続され、他側は前記第２端子に接続されて通電するバイメタルとを含み、
前記バイメタルは、前記第１端子及び前記第２端子の少なくとも一方に耐アーク膜を介して面接触し、
前記耐アーク膜は絶縁紙で形成され、
前記耐アーク膜を貫通する導電性リベットを通って電流が流れる、回路遮断器用トリップ装置。
【請求項５】
前記導電性リベットは銅で形成される、請求項４に記載の回路遮断器用トリップ装置。
【請求項６】
前記耐アーク膜は、前記バイメタルや前記第１端子や前記第２端子とは別途に備えられる、請求項４または５に記載の回路遮断器用トリップ装置。
【発明の詳細な説明】
【技術分野】
【０００１】
本発明は、回路遮断器用トリップ装置に関し、特にバイメタルをトリップ素子として用いるトリップ装置に関する。
【背景技術】
【０００２】
一般に、回路遮断器は、電気回路をハンドルにより手動で開閉したり、短絡電流などの事故電流発生時にそれを感知して自動で回路を遮断して負荷機器や回路を保護する電気機器の一種である。
【０００３】
以下、図５及び図６を参照して、従来の回路遮断器のトリップ装置について説明する。
【０００４】
従来の回路遮断器は、図５に示すように、ケース１０と、ケース１０に固定配置される固定接触子２０と、固定接触子２０に対して接離可能に配置される可動接触子３０と、可動接触子３０を開閉する開閉機構４０と、短絡電流などの事故電流発生時にそれを感知して自動で開閉機構４０がトリップする位置に動作するようにトリガするトリップ装置６０とを含み、開閉機構４０は、手動で開閉できるようにするハンドル５０と、後述するバイメタル６６の湾曲時に開閉機構４０のラッチ（図示せず）の拘束を解除するまでのいわゆるトリガ機能を有するクロスバー４２とを含む。
【０００５】
トリップ装置６０は、図６に示すように、電源側に接続される第１端子６２と、負荷側に接続される第２端子６４と、一側は第１端子６２に接続され、他側は第２端子６４に接続されて通電するバイメタル６６とを含む。
【０００６】
この場合、第１端子６２とバイメタル６６の一側は、第１端子接触面６２ａとバイメタル第１接触面６６ａが面接触し、第１リベット６７ａが貫通して締結される。
【０００７】
また、第２端子６４とバイメタル６６の他側は、第２端子接触面６４ｂとバイメタル第２接触面６６ｂが面接触し、第２リベット６７ｂが貫通して締結される。
【０００８】
このような構成により、事故電流が通電すると、バイメタル６６は通電電流により発熱する。
【０００９】
温度が上昇したバイメタル６６は、図６の右方向に湾曲し、加圧部材６６ｃによりクロスバー４２を回動させ、開閉機構４０のラッチ（図示せず）の拘束を解除する。
【００１０】
ラッチ（図示せず）の拘束が解除されると、開閉機構４０のトリップばね（図示せず）の付勢力により、可動接触子３０が固定接触子２０から迅速に分離する。
【発明の概要】
【発明が解決しようとする課題】
【００１１】
しかし、前述した従来の回路遮断器用トリップ装置においては、互いに面接触する第１端子接触面６２ａとバイメタル第１接触面６６ａ間及び第２端子接触面６４ｂとバイメタル第２接触面６６ｂ間の微細空隙でアークが発生する。
【００１２】
よって、融着並びにバイメタル６６の抵抗値変化、発熱量変化及び湾曲量変化が生じ、結果としてトリップ遅延によりトリップ動作の信頼性が低下するという問題がある。
【００１３】
そこで、本発明は、第１端子、バイメタル及び第２端子の接続部におけるアークの発生を抑制し、融着並びにそれによるバイメタルの抵抗値変化、発熱量変化及び湾曲量変化を抑制することにより、トリップ遅延によるトリップ動作の信頼性低下の問題を解決することのできる回路遮断器用トリップ装置を提供することを目的とする。
【課題を解決するための手段】
【００１４】
上記目的を達成するために、本発明は、電源側に接続される第１端子と、負荷側に接続される第２端子と、一側は前記第１端子に接続され、他側は前記第２端子に接続されて通電するバイメタルとを含み、前記バイメタルは、前記第１端子及び前記第２端子の少なくとも一方に耐アーク膜（arc-resistivity member）を介して面接触する、回路遮断器用トリップ装置を提供する。
【００１５】
本発明の一実施形態によれば、前記耐アーク膜は、耐アーク性と導電性を有する金属で形成されてもよい。
【００１６】
前記耐アーク膜は炭化銀（ＡｇＣ）で形成されてもよい。
【００１７】
この場合、前記耐アーク膜は、前記バイメタルの表面にめっきされて形成されてもよい。
【００１８】
本発明の他の実施形態によれば、前記耐アーク膜は絶縁紙で形成されてもよい。
【００１９】
この場合、前記耐アーク膜を貫通する導電性リベットを通って電流が流れるように構成されてもよい。
【００２０】
前記耐アーク膜はノーメックス（登録商標）で形成されてもよい。
【００２１】
前記導電性リベットは銅で形成されてもよい。
【００２２】
ここで、前記耐アーク膜は、前記バイメタルや前記第１端子や前記第２端子とは別途に備えられてもよい。
【発明の効果】
【００２３】
本発明による回路遮断器用トリップ装置は、電源側に接続される第１端子と、負荷側に接続される第２端子と、一側は第１端子に接続され、他側は第２端子に接続されて通電するバイメタルとを含み、バイメタルは、第１端子及び第２端子の少なくとも一方に耐アーク膜を介して面接触することにより、接触面間でアークの発生を抑制することができる。よって、融着並びにそれによるバイメタルの抵抗値変化、発熱量変化及び湾曲量変化を抑制し、結果としてトリップ遅延によるトリップ動作の信頼性低下の問題を解消することができる。
【００２４】
また、本発明による回路遮断器用トリップ装置は、炭化銀（ＡｇＣ）などの耐アーク性及び導電性を有する金属をバイメタル又は端子にめっきすることにより、製造容易性を向上させることができる。
【図面の簡単な説明】
【００２５】
【図１】本発明の第１実施形態によるトリップ装置を示す斜視図である。
【図２】図１を反対側から見た斜視図である。
【図３】図１の分解斜視図である。
【図４】本発明の第２実施形態によるトリップ装置の分解斜視図である。
【図５】従来の回路遮断器を示す断面図である。
【図６】図５のトリップ装置を示す斜視図である。
【発明を実施するための形態】
【００２６】
以下、本発明による回路遮断器用トリップ装置を、添付図面に示す実施形態に基づいて詳細に説明する。
【００２７】
図１は本発明の第１実施形態によるトリップ装置を示す斜視図であり、図２は図１を反対側から見た斜視図であり、図３は図１の分解斜視図である。
【００２８】
図１〜図３に示すように、本発明の第１実施形態による回路遮断器用トリップ装置１６０は、電源側に接続される第１端子６２と、負荷側に接続される第２端子６４と、一側は第１端子６２に接続され、他側は第２端子６４に接続されて通電するバイメタル６６とを含む。
【００２９】
第１端子６２及び第２端子６４は、バイメタル６６を支持するブラケットの役割を果たすと共に、電気的にバイメタル６６を回路に接続する役割を果たす。
【００３０】
第１端子６２は、後述する第１耐アーク膜１６８ａの一面に面接触する第１端子接触面６２ａを含む。
【００３１】
第２端子６４は、後述する第２耐アーク膜１６８ｂの一面に面接触する第２端子接触面６４ｂを含む。
【００３２】
バイメタル６６は、一端に加圧部材６６ｃを備える。
【００３３】
バイメタル６６は、他端一面に第１耐アーク膜１６８ａがめっきされたバイメタル第１接触面６６ａを備え、他端一面の背面に第２耐アーク膜１６８ｂがめっきされたバイメタル第２接触面６６ｂを備える。
【００３４】
よって、バイメタル第１接触面６６ａは第１耐アーク膜１６８ａの一面の背面に面接触し、バイメタル第２接触面６６ｂは第２耐アーク膜１６８ｂ一面の背面に面接触することになる。
【００３５】
つまり、バイメタル第１接触面６６ａは、第１端子接触面６２ａに第１耐アーク膜１６８ａを介して面接触する。
【００３６】
また、バイメタル第２接触面６６ｂは、第２端子接触面６４ｂに第２耐アーク膜１６８ｂを介して面接触する。
【００３７】
この場合、第１耐アーク膜１６８ａ及び第２耐アーク膜１６８ｂは、電流が第１端子接触面６２ａからバイメタル第１接触面６６ａ、バイメタル第２接触面６６ｂを介して第２端子接触面６４ｂに安定して流れるように、耐アーク性及び導電性を有する材質で形成される必要がある。
【００３８】
すなわち、第１耐アーク膜１６８ａ及び第２耐アーク膜１６８ｂは、第１端子接触面６２ａとバイメタル第１接触面６６ａ間でアークの発生が抑制されて通電し、第２端子接触面６４ｂとバイメタル第２接触面６６ｂ間でアークの発生が抑制されて通電するように、耐アーク性及び導電性を有する材質で形成される必要がある。
【００３９】
また、第１耐アーク膜１６８ａ及び第２耐アーク膜１６８ｂは、製造容易性を考慮して、バイメタル６６にめっきされるように、金属材質で形成される必要がある。
【００４０】
よって、第１耐アーク膜１６８ａ及び第２耐アーク膜１６８ｂは、耐アーク性及び導電性を有し、めっき可能な金属である炭化銀（ＡｇＣ）をバイメタル第１接触面６６ａ及びバイメタル第２接触面６６ｂにめっきすることにより形成する。
【００４１】
しかし、これらに限定されるものではない。
【００４２】
例えば、第１耐アーク膜１６８ａ及び第２耐アーク膜１６８ｂは、バイメタル第１接触面６６ａ及びバイメタル第２接触面６６ｂの代わりに、第１端子接触面６２ａ及び第２端子接触面６４ｂにめっきすることにより形成してもよい。
【００４３】
他の例として、第１耐アーク膜１６８ａ及び第２耐アーク膜１６８ｂは、後述するように、バイメタル６６や第１端子６２や第２端子６４とは別個の板状部材で別途に備えられ、バイメタル第１接触面６６ａと第１端子接触面６２ａ間及びバイメタル第２接触面６６ｂと第２端子接触面６４ｂ間に設けられてもよい。
【００４４】
また、第１耐アーク膜１６８ａ及び第２耐アーク膜１６８ｂは、耐アーク性及び導電性を有する他の材質を用いて、前述したようにめっきすることにより形成してもよく、別途に備えてもよい。
【００４５】
さらに、一面の材質と背面の材質が異なる、異種物質の接合体であるバイメタル６６は、一面と背面のいずれか一方にのみ第１端子６２及び第２端子６４が接続されると、接続された面の物質のみ加熱されて融断や逆方向の湾曲が発生する。これを抑制するために、バイメタル６６は、他端一面のバイメタル第１接触面６６ａが第１端子６２に接続され、他端一面の背面のバイメタル第２接触面６６ｂが第２端子６４に接続される。
【００４６】
次に、バイメタル６６が第１端子６２に固定締結されるように、第１端子接触面６２ａ、第１耐アーク膜１６８ａ及びバイメタル第１接触面６６ａを第１リベット６７ａが貫通して締結される。
【００４７】
また、バイメタル６６が第２端子６４に固定締結されるように、第２端子接触面６４ｂ、第２耐アーク膜１６８ｂ及びバイメタル第２接触面６６ｂを第２リベット６７ｂが貫通して締結される。
【００４８】
第１リベット６７ａ及び第２リベット６７ｂは、ボルトなどの他の締結部材で代替してもよい。
【００４９】
同図において、従来と同じ部分には同じ符号を付した。
【００５０】
以下、前述した本発明の第１実施形態による回路遮断器用トリップ装置１６０の作用効果について説明する。
【００５１】
本発明の第１実施形態による回路遮断器用トリップ装置１６０において、電源側から印加された電流は、第１端子接触面６２ａ、第１耐アーク膜１６８ａ、バイメタル第１接触面６６ａ、バイメタル第２接触面６６ｂ、第２耐アーク膜１６８ｂ及び第２端子接触面６４ｂを介して負荷側に流れる。
【００５２】
よって、バイメタル６６は、バイメタル第１接触面６６ａからバイメタル第２接触面６６ｂに流れる電流により発熱する。
【００５３】
このように発熱して温度が上昇したバイメタル６６は、図１の右方向に湾曲する。
【００５４】
ここで、バイメタル６６は、正常電流では発熱量及び湾曲量が小さいので回路遮断器の開閉機構４０をトリップさせない。
【００５５】
しかし、バイメタル６６は、回路に短絡電流などの事故電流が発生すると、発熱量及び湾曲量が増加し、加圧部材６６ｃによりクロスバー４２を加圧して回動させる。このようなクロスバー４２の回動により、開閉機構４０のラッチ（図示せず）の拘束が解除され、結果として可動接触子３０が固定接触子２０から迅速に分離する。
【００５６】
この過程で、第１耐アーク膜１６８ａは、第１端子接触面６２ａとバイメタル第１接触面６６ａ間でアークの発生を抑制して電流を通過させる役割を果たす。
【００５７】
また、第２耐アーク膜１６８ｂは、第２端子接触面６４ｂとバイメタル第２接触面６６ｂ間でアークの発生を抑制して電流を通過させる役割を果たす。
【００５８】
ここで、本発明の第１実施形態による回路遮断器用トリップ装置１６０は、バイメタル第１接触面６６ａとバイメタル第２接触面６６ｂに、耐アーク性と導電性を有する炭化銀（ＡｇＣ）材質の第１耐アーク膜１６８ａ及び第２耐アーク膜１６８ｂがめっきされている。
【００５９】
また、バイメタル第１接触面６６ａと第１端子接触面６２ａは、第１耐アーク膜１６８ａを介して面接触する。
【００６０】
さらに、バイメタル第２接触面６６ｂと第２端子接触面６４ｂは、第２耐アーク膜１６８ｂを介して面接触する。
【００６１】
このような構成により、電流が第１端子接触面６２ａから第１耐アーク膜１６８ａ、バイメタル第１接触面６６ａ、バイメタル第２接触面６６ｂ及び第２耐アーク膜１６８ｂを介して第２端子接触面６４ｂに流れ、バイメタル６６が通電電流により発熱する。
【００６２】
よって、本発明の第１実施形態による回路遮断器用トリップ装置１６０は、第１端子接触面６２ａとバイメタル第１接触面６６ａ間及び第２端子接触面６４ｂとバイメタル第２接触面６６ｂ間でアークの発生を抑制し、融着並びにそれによるバイメタル６６の抵抗値変化、発熱量変化及び湾曲量変化を抑制し、結果としてトリップ遅延によるトリップ動作の信頼性低下の問題を解消することができる。
【００６３】
この場合、本発明の第１実施形態による回路遮断器用トリップ装置１６０は、バイメタル６６が第１端子６２及び第２端子６４の両方に面接触するので、面接触する２箇所に耐アーク膜が形成されている。しかし、もしバイメタル６６が第１端子６２及び第２端子６４のいずれか一方にのみ面接触する場合は、すなわち他方は線で接続されて面接触しない場合は、面接触する１箇所にのみ耐アーク膜を形成してもよい。
【００６４】
また、本発明の第１実施形態による回路遮断器用トリップ装置１６０においては、バイメタル６６を通過する電流によりバイメタル６６が直接発熱して湾曲するように、すなわち直接式となるように、第１端子６２及び第２端子６４が単に電流を通過させる役割のみ果たす。しかし、もしバイメタル６６がバイメタル６６を通過する電流により直接発熱すると共に、ヒータにより加熱されて湾曲するようにする場合は、すなわち直間接式とする場合は、第１端子６２又は第２端子６４がヒータを含み、電流を通過させると共にバイメタル６６を加熱する役割を果たすようにしてもよい。ここで、ヒータの加熱方法は、ヒータが接触による伝導でバイメタル６６を加熱する直熱式、ヒータがバイメタル６６と所定のギャップを置いて対向して設けられ、伝導や輻射でバイメタル６６を加熱する放熱式、ヒータの一部分は接触による伝導でバイメタル６６を加熱し、他の部分はバイメタル６６と所定のギャップを置いて対向して設けられ、伝導や輻射でバイメタル６６を加熱する直放熱式のいずれかであってもよい。
【００６５】
図４は本発明の第２実施形態によるトリップ装置の分解斜視図である。
【００６６】
図４に示すように、本発明の第２実施形態による回路遮断器用トリップ装置２６０は、耐アーク性と導電性を有する炭化銀（ＡｇＣ）をバイメタル６６にめっきした耐アーク膜１６８ａ、１６８ｂの代わりに、絶縁紙が別途に備えられる耐アーク膜２６８ａ、２６８ｂを含むという点が、第１実施形態との構成上の相違点である。
【００６７】
すなわち、本発明の第２実施形態による回路遮断器用トリップ装置２６０は、電源側に接続される第１端子６２と、負荷側に接続される第２端子６４と、一側は第１端子６２に接続され、他側は第２端子６４に接続されて通電するバイメタル６６と、第１端子６２とバイメタル６６の一側間に設けられる第１耐アーク膜２６８ａと、第２端子６４とバイメタル６６の他側間に設けられる第２耐アーク膜２６８ｂと、第１端子６２、第１耐アーク膜２６８ａ及びバイメタル６６の一側を貫通して締結する導電性第１リベット２６７ａと、第２端子６４、第２耐アーク膜２６８ｂ及びバイメタル６６の他側を貫通して締結する導電性第２リベット２６７ｂとを含む。
【００６８】
ちなみに、図４の構成要素を組み立てると、図１と同じ形状となる。
【００６９】
次に、第１端子６２及び第２端子６４は、バイメタル６６を支持するブラケットの役割を果たすと共に、電気的にバイメタル６６を回路に接続する役割を果たす。
【００７０】
第１端子６２は、後述する第１耐アーク膜２６８ａの一面に面接触する第１端子接触面６２ａを含む。
【００７１】
第２端子６４は、後述する第２耐アーク膜２６８ｂの一面に面接触する第２端子接触面６４ｂを含む。
【００７２】
バイメタル６６は、一端に加圧部材６６ｃを備える。
【００７３】
また、バイメタル６６は、他端一面に第１耐アーク膜２６８ａの一面の背面に面接触するバイメタル第１接触面６６ａを備え、他端一面の背面に第２耐アーク膜２６８ｂの一面の背面に面接触するバイメタル第２接触面６６ｂを備える。
【００７４】
第１耐アーク膜２６８ａと第２耐アーク膜２６８ｂは板状部材である。
【００７５】
第１耐アーク膜２６８ａは、一面が第１端子接触面６２ａに面接触し、背面がバイメタル第１接触面６６ａに面接触する。
【００７６】
第２耐アーク膜２６８ｂは、一面が第２端子接触面６４ｂに面接触し、背面がバイメタル第２接触面６６ｂに面接触する。
【００７７】
導電性第１リベット２６７ａと導電性第２リベット２６７ｂは棒状部材である。
【００７８】
導電性第１リベット２６７ａは、バイメタル６６が第１端子６２に固定締結されるように、第１端子接触面６２ａ、第１耐アーク膜２６８ａ及びバイメタル第１接触面６６ａを貫通して締結する。
【００７９】
導電性第２リベット２６７ｂは、バイメタル６６が第２端子６４に固定締結されるように、第２端子接触面６４ｂ、第２耐アーク膜２６８ｂ及びバイメタル第２接触面６６ｂを貫通して締結する。
【００８０】
導電性第１リベット２６７ａ及び導電性第２リベット２６７ｂは、ボルトなどの他の導電性締結部材で代替してもよい。
【００８１】
この場合、第１耐アーク膜２６８ａは、第１端子接触面６２ａとバイメタル第１接触面６６ａ間を絶縁してアークの発生を抑制するように、ノーメックスなどの絶縁紙を用いてバイメタル６６や第１端子６２とは別個の板状部材で備えられ、第１端子接触面６２ａとバイメタル第１接触面６６ａ間に設けられる。
【００８２】
また、第２耐アーク膜２６８ｂは、第２端子接触面６４ｂとバイメタル第２接触面６６ｂ間を絶縁してアークの発生を抑制するように、ノーメックスなどの絶縁紙を用いてバイメタル６６や第２端子６４とは別個の板状部材で備えられ、第２端子接触面６４ｂとバイメタル第２接触面６６ｂ間に設けられる。
【００８３】
その代わりに、導電性第１リベット２６７ａ及び導電性第２リベット２６７ｂが銅などの導電性材質で形成されるので、電流は第１端子接触面６２ａから導電性第１リベット２６７ａ、バイメタル第１接触面６６ａ、バイメタル第２接触面６６ｂ及び導電性第２リベット２６７ｂを介して第２端子接触面６４ｂに流れる。
【００８４】
しかし、第１耐アーク膜２６８ａ及び第２耐アーク膜２６８ｂは、前述したように、別途に備えられて導電性第１リベット２６７ａ及び導電性第２リベット２６７ｂにより締結されるが、その代わりにバイメタル第１接触面６６ａ及びバイメタル第２接触面６６ｂに接着剤などにより付着し、バイメタル６６と一体に形成してもよい。
【００８５】
また、第１耐アーク膜２６８ａ及び第２耐アーク膜２６８ｂは、第１端子接触面６２ａ及び第２端子接触面６４ｂに接着剤などにより付着し、それぞれ第１端子６２及び第２端子６４と一体に形成してもよい。
【００８６】
さらに、第１耐アーク膜２６８ａ及び第２耐アーク膜２６８ｂは、絶縁性を有する他の材質を用いて、前述したように別途に備え、リベットして形成してもよく、バイメタル６６又は端子６２、６４に付着して形成してもよい。
【００８７】
さらに、一面の材質と背面の材質が異なる、異種物質の接合体であるバイメタル６６は、一面と背面のいずれか一方にのみ第１端子６２及び第２端子６４が接続されると、接続された面の物質のみ加熱されて融断や逆方向の湾曲が発生する。これを抑制するために、バイメタル６６は、他端一面のバイメタル第１接触面６６ａが第１端子６２に接続され、他端一面の背面のバイメタル第２接触面６６ｂが第２端子６４に接続される。
【００８８】
同図において、従来と同じ部分には同じ符号を付した。
【００８９】
以下、前述した本発明の第２実施形態による回路遮断器用トリップ装置２６０の作用効果について説明する。
【００９０】
本発明の第２実施形態による回路遮断器用トリップ装置２６０において、電源側から印加された電流は、第１端子接触面６２ａ、導電性第１リベット２６７ａ、バイメタル第１接触面６６ａ、バイメタル第２接触面６６ｂ、導電性第２リベット２６７ｂ及び第２端子接触面６４ｂを介して負荷側に流れる。
【００９１】
よって、バイメタル６６は、バイメタル第１接触面６６ａからバイメタル第２接触面６６ｂに流れる電流により発熱する。
【００９２】
このように発熱して温度が上昇したバイメタル６６は、図４の右方向に湾曲する。
【００９３】
ここで、バイメタル６６は、正常電流では発熱量及び湾曲量が小さいので回路遮断器の開閉機構４０をトリップさせない。
【００９４】
しかし、バイメタル６６は、回路に短絡電流などの事故電流が発生すると、発熱量及び湾曲量が増加し、加圧部材６６ｃによりクロスバー４２を加圧して回動させる。このようなクロスバー４２の回動により、開閉機構４０のラッチ（図示せず）の拘束が解除され、結果として可動接触子３０が固定接触子２０から迅速に分離する。
【００９５】
この過程で、第１耐アーク膜２６８ａは、第１端子接触面６２ａとバイメタル第１接触面６６ａ間を絶縁してアークの発生を抑制する役割を果たす。
【００９６】
また、第２耐アーク膜２６８ｂは、第２端子接触面６４ｂとバイメタル第２接触面６６ｂ間を絶縁してアークの発生を抑制する役割を果たす。
【００９７】
ここで、第１耐アーク膜２６８ａと第２耐アーク膜２６８ｂは電流が流れないように絶縁するので、導電性材質で形成される導電性第１リベット２６７ａ及び導電性第２リベット２６７ｂが前述したように線路の役割を果たす。
【００９８】
ここで、本発明の第２実施形態による回路遮断器用トリップ装置２６０は、ノーメックスなどの絶縁紙で形成される第１耐アーク膜２６８ａ及び第２耐アーク膜２６８ｂが別途に備えられる。
【００９９】
また、バイメタル第１接触面６６ａと第１端子接触面６２ａは、第１耐アーク膜２６８ａを介して面接触すると共に、導電性第１リベット２６７ａが貫通して締結される。
【０１００】
さらに、バイメタル第２接触面６６ｂと第２端子接触面６４ｂは、第２耐アーク膜２６８ｂを介して面接触すると共に、導電性第２リベット２６７ｂが貫通して締結される。
【０１０１】
このような構成により、電流が第１端子接触面６２ａから導電性第１リベット２６７ａ、バイメタル第１接触面６６ａ、バイメタル第２接触面６６ｂ及び導電性第２リベット２６７ｂを介して第２端子接触面６４ｂに流れ、バイメタル６６が通電電流により発熱する。
【０１０２】
よって、本発明の第２実施形態による回路遮断器用トリップ装置２６０は、第１端子接触面６２ａとバイメタル第１接触面６６ａ間及び第２端子接触面６４ｂとバイメタル第２接触面６６ｂ間でアークの発生を抑制し、融着並びにそれによるバイメタル６６の抵抗値変化、発熱量変化及び湾曲量変化を抑制し、結果としてトリップ遅延によるトリップ動作の信頼性低下の問題を解消することができる。
【０１０３】
この場合、本発明の第２実施形態による回路遮断器用トリップ装置２６０は、バイメタル６６が第１端子６２及び第２端子６４の両方に面接触するので、面接触する２箇所に耐アーク膜が設けられている。しかし、もしバイメタル６６が第１端子６２及び第２端子６４のいずれか一方にのみ面接触する場合は、すなわち他方は線で接続されて面接触しない場合は、面接触する１箇所にのみ耐アーク膜を設けてもよい。
【０１０４】
また、本発明の第２実施形態による回路遮断器用トリップ装置２６０においては、バイメタル６６を通過する電流によりバイメタル６６が直接発熱して湾曲するように、すなわち直接式となるように、第１端子６２及び第２端子６４が単に電流を通過させる役割のみ果たす。しかし、もしバイメタル６６がバイメタル６６を通過する電流により直接発熱すると共に、ヒータにより加熱されて湾曲するようにする場合は、すなわち直間接式とする場合は、第１端子６２又は第２端子６４がヒータを含み、電流を通過させると共にバイメタル６６を加熱する役割を果たすようにしてもよい。ここで、ヒータの加熱方法は、ヒータが接触による伝導でバイメタル６６を加熱する直熱式、ヒータがバイメタル６６と所定のギャップを置いて対向して設けられ、伝導や輻射でバイメタル６６を加熱する放熱式、ヒータの一部分は接触による伝導でバイメタル６６を加熱し、他の部分はバイメタル６６と所定のギャップを置いて対向して設けられ、伝導や輻射でバイメタル６６を加熱する直放熱式のいずれかであってもよい。
【０１０５】
本発明による回路遮断器用トリップ装置以外の回路遮断器の他の構成要素及び作用効果は、従来と同じであるので重複を避けるために省略する。
【符号の説明】
【０１０６】
１０    ケース
２０    固定接触子
３０    可動接触子
４０    開閉機構
４２    クロスバー
５０    ハンドル
６０    従来のトリップ装置
６２    第１端子
６２ａ    第１端子接触面
６４    第２端子
６４ｂ    第２端子接触面
６６    バイメタル
６６ａ    バイメタル第１接触面
６６ｂ    バイメタル第２接触面
６６ｃ    加圧部材
６７ａ    第１リベット
６７ｂ    第２リベット
１６０    本発明の第１実施形態による回路遮断器用トリップ装置
１６８ａ    第１耐アーク膜
１６８ｂ    第２耐アーク膜
２６０    本発明の第２実施形態による回路遮断器用トリップ装置
２６７ａ    導電性第１リベット
２６７ｂ    導電性第２リベット
２６８ａ    第１耐アーク膜
２６８ｂ    第２耐アーク膜
【図１】
0006001608.tif 000002
【図２】
0006001608.tif 000003
【図３】
0006001608.tif 000004
【図４】
0006001608.tif 000005
【図５】
0006001608.tif 000006
【図６】
0006001608.tif 000007